(57)【要約】  【課題】  アース構造を改良してアースを強化する。  【解決手段】  筒型カメラ１は、筒型筐体３と、筒型筐体３に重ねて収容され、互いに連結される複数の基板５、７を有する。アース金具１１、１３は、筒型筐体３内に配置され、複数の基板５、７と接触する基板接触部である溝部８１、８３および筒型筐体３と接触する筐体接触部である折曲げ部７３、７５を有する。基板ホルダ９は、筒型筐体３に嵌合する形状を有するとともに、基板５、７を保持する形状を有し、かつ、アース金具１１、１３が組み付けられる。【選択図】  図１
2005176995.tif 000002
【特許請求の範囲】
【請求項１】
筒型筐体と、
前記筒型筐体内に重ねて収容され、互いに連結された複数の基板と、
前記筒型筐体内に配置され、前記複数の基板と接触する基板接触部および前記筒型筐体と接触する筐体接触部を有するアース金具と、
を備えることを特徴とする筒型カメラ。
【請求項２】
前記筒型筐体の内面に嵌合する形状を有するとともに、前記複数の基板を保持する構造を有し、さらに、前記アース金具が備えられた基板ホルダを有することを特徴とする請求項１に記載の筒型カメラ。
【請求項３】
前記アース金具は、折曲げ形成された金属板で構成されており、前記金属板の両端に、前記基板ホルダに係合する折曲げ部を有し、かつ、前記複数の基板に対応する位置に前記複数の基板のグランド領域がそれぞれ嵌り込む複数の溝部を有し、前記基板ホルダは、前記複数の溝部を収容する凹所を有することを特徴とする請求項２に記載の筒型カメラ。
【請求項４】
前記基板ホルダは、前記複数の基板を挟んで両側に合せ部をもつ分割構造を有し、
各合せ部は、合せ面の両側に合せ相手面の段部に受け入れられる凸部を有し、かつ、前記アース金具の組付け部の筒方向両側で段部と凸部の位置関係が逆転する合せ構造を有することを特徴とする請求項２または３に記載の筒型カメラ。
【請求項５】
前記基板ホルダは、前記複数の基板を囲む筒部を有し、前記筒部は部分的に通気用開口部を有することを特徴とする請求項２ないし４のいずれかに記載の筒型カメラ。
【請求項６】
前記アース金具が、前記基板ホルダと一体成形されていることを特徴とする請求項２ないし５のいずれかに記載の筒型カメラ。
【請求項７】
前記複数枚の基板上の離れた位置に配置された複数の前記アース金具を備えることを特徴とする請求項１ないし６のいずれかに記載の筒型カメラ。
【発明の詳細な説明】
【技術分野】
【０００１】
本発明は、筒形カメラに関し、特に、筒形カメラのアース構造の改良に関するものである。
【背景技術】
【０００２】
筒形カメラは、筒型の筐体内に、ＣＣＤ等の撮像素子と、撮像素子の信号を処理する回路基板を内蔵しており、狭い場所を撮影するために使用される。例えば、特許文献１に示されるように、歯科用の円筒型カメラが知られている。
【０００３】
図５は、筒型カメラの構成例を示しており、筒型カメラ２０１は、筒型筐体２０３と、筒型筐体２０３に収容される２枚の基板２０５、２０７を備える。２枚の基板２０５、２０７を重ねて配置することで、小さなスペースが有効活用されている。２枚の基板２０５、２０７は、半田付けされており、そして、大きい方の基板２０５がシールド金具２０９で筒型筐体２０３にアースされている。
【０００４】
図６は、基板２０５の斜視図であり、基板２０７は、基板２０５の下側に隠れている。図６の例では、基板２０７の筒方向の長さは、基板２０５より大幅に小さい。シールド金具２０９は、図示のように、基板２０５の端部に３箇所で半田付けされている。シールド金具２０９は、弾性を有する金属板を折り曲げることで形成されており、組付け状態で筒型筐体２０３に押圧されて、シールド金具２０９と筒型筐体２０３の接触が確保される。
【特許文献１】特開平１０−１９２２４０号公報（第３−４ページ、図１）
【発明の開示】
【発明が解決しようとする課題】
【０００５】
しかしながら、従来の筒型カメラにおいては、シールド金具で特定の基板しか筐体に接続されないため、アースが電気的に弱いという問題があった。また、不良個所の発見を容易にするという観点では、複数の基板を半田付けせず、分解可能にすることが望まれるが、アースを電気的に弱くすることなく、基板を分解可能にすることは容易でない。
【０００６】
本発明は、従来の問題を解決するためになされたもので、その目的は、アース構造を改良した筒型カメラを提供することにある。
【課題を解決するための手段】
【０００７】
本発明の筒型カメラは、筒型筐体と、前記筒型筐体内に重ねて収容され、互いに連結された複数の基板と、前記筒型筐体内に配置され、前記複数の基板と接触する基板接触部および前記筒型筐体と接触する筐体接触部を有するアース金具とを備える。
【０００８】
この構成により、アース金具が、複数の基板および筒型筐体と接触するので、アースを電気的に強くできる。複数の基板をコネクタ等で連結し、分解可能に構成した場合でも、アースが弱くなるのを防止できる。
【０００９】
また、本発明の筒型カメラは、前記筒型筐体の内面に嵌合する形状を有するとともに、前記複数の基板を保持する構造を有し、さらに、前記アース金具が備えられた基板ホルダを有する。
【００１０】
この構成により、基板ホルダを使って複数枚の基板を確実に保持できると共に、半田付け作業を行わないでもアース金具を装着でき、そして、アースを機械的にも強化できる。
【００１１】
また、本発明の筒型カメラにおいて、前記アース金具は、折曲げ形成された金属板で構成されており、前記金属板の両端に、前記基板ホルダに係合する折曲げ部を有し、かつ、前記複数の基板に対応する位置に前記複数の基板のグランド領域がそれぞれ嵌り込む複数の溝部を有し、前記基板ホルダは、前記複数の溝部を収容する凹所とを有する。より詳細には、アース金具の筐体接触部が、上記の折曲げ部を有しており、折曲げ部は、アース金具が基板ホルダに組み付けられた状態で筒型筐体の内空間よりはみ出す形状を有している。また、アース金具の基板接触部が上記の溝部を有し、各溝部は、接触対象のグランド領域の厚さより小さい溝幅を有している。
【００１２】
この構成により、アース金具は、両端の折曲げ部とそれらの間の複数の溝部により、基板ホルダに組み付けられると共に、筐体および複数の基板との接触を確保でき、したがって、アース金具を小型で簡単な構成にできる。
【００１３】
また、本発明の筒型カメラにおいて、前記基板ホルダは、前記複数の基板を挟んで両側に合せ部をもつ分割構造を有し、各合せ部は、合せ面の両側に合せ相手面の段部に受け入れられる凸部を有し、かつ、前記アース金具の組付け部の筒方向両側で段部と凸部の位置関係が逆転する合せ構造を有する。
【００１４】
この構成により、アース金具の両側で合せ構造が互い違いであるので、両分割片を合体した状態での基板ホルダの強度を向上できる。
【００１５】
また、本発明の筒型カメラにおいて、前記基板ホルダは、前記複数の基板を囲む筒部を有し、前記筒部は部分的に通気用開口部を有する。これにより、基板の温度を下げることができ、熱的に有利である。
【００１６】
また、本発明の筒型カメラにおいては、前記アース金具が、前記基板ホルダと一体成形される。この構成により、組立作業が容易になる。
【００１７】
また、本発明の筒型カメラは、前記複数枚の基板上の離れた位置に配置された複数の前記アース金具を備える。この構成により、アースがさらに強化される。
【発明の効果】
【００１８】
本発明は、筒型筐体内に配置され、複数の基板と接触する基板接触部および筒型筐体と接触する筐体接触部を有するアース金具を設けたことにより、アースを電気的に強くできるという効果を有する筒型カメラを提供することができるものである。
【発明を実施するための最良の形態】
【００１９】
以下、本発明の実施の形態の筒型カメラについて、図面を用いて説明する。
【００２０】
図１は、本発明の実施の形態の筒型カメラの分解組立図を示しており、図２は、図１の筒型カメラの断面図である。
【００２１】
図１および図２において、筒型カメラ１は、筒型筐体３と、筒型筐体３に収容された基板５、７と、基板５、７を保持する基板ホルダ９と、基板ホルダ９に組み付けられるシールド金具１１、１３とを備えており、シールド金具１１、１３はアース金具に相当する。さらに、図示されないが、筒型カメラ１は、ＣＣＤ等の撮像素子、映像ケーブル、電源ケーブル、光源および光ファイバなどを備えている。
【００２２】
筒型筐体３は、ステンレス製であり、円筒形である。基板５、７は、エポキシ、ガラス等の基板であり、略長方形を有する。基板５、７は、ほぼ同じ大きさを有し、コネクタ１５で互いに連結され、重なった状態で筒型筐体３に収容される。基板５、７には、撮像素子の信号を処理する回路が備えられている。コネクタ１５を設けているので、基板５、７は分解可能である。
【００２３】
また、基板５、７は図示のように周囲の４カ所に凸部１７、１９、２１、２３を有する。凸部１７、２１は一方の長辺に、凸部１９、２３は他方の長辺に設けられ、凸部１７、１９は、筒方向に同位置にあり、互いに向き合っている。筒部２１、２３も同様である。そして、凸部１７、１９にはグランド領域２５、２７が備えられており、すなわち、グランドのパターンが配置されている。
【００２４】
基板ホルダ９は、合成樹脂製であり、分割構造を有し、第１ホルダピース２９と第２ホルダピース３１で構成される。基板ホルダ９は筒部３３を有し、筒部３３では、第１ホルダピース２９が側壁３５、上壁３７、下壁３９を有し、第２ホルダピース３１も側壁４１、上壁４３、下壁４５を有する。そして、第１ホルダピース２９の上壁３７、下壁３９が、第２ホルダピース３１の上壁４３、４５と合わさり、これにより、筒部３３が形成される。合せ部４７、４９は、基板５、７を挟んで上下の両側に位置しており、筒部３３により基板５、７が囲まれる。筒部３３の側壁３５、４１は、筒型筐体３の内面とほぼ同じ径の円筒外面を有し、これにより、基板ホルダ９が、筒型筐体３に挿入されて嵌合する形状を有している。
【００２５】
筒部３３の側壁３５、４１は、前後方向に延びており、第１ホルダピース２９の側壁３５は、後方の端部にアーム部５１、５３を有し、第２ホルダピース３１の側壁４１は、前方の端部にアーム部５５、５７を有する。アーム部５１、５３は先端に係合爪５９を有し、係合爪５９が、対向する側壁４１の係合穴６１に係合する。アーム部５５、５７も同様であり、これら４本のアーム部５１、５３、５５、５７によって第１ホルダピース２９と第２ホルダピース３１が合体される。
【００２６】
また、筒部３３の側壁３５、４１には、基板５、７の凸部１７、１９、２１、２３に対応する位置に収容部６３が備えられている。収容部６３によって、基板５、７が筒方向に位置決めされる。後述するように、凸部１７、１９に対応する収容部６３には、シールド金具１１、１３の対応部分が収容される。
【００２７】
さらに、筒部３３の側壁３５、４１は、中央部に、筒方向に延びるファイバ溝６５を有する。ファイバ溝６５には、光源からの光を撮影部に案内する光ファイバの束が通される。
【００２８】
また、筒部３３の側壁３５、４１には部分的に通気用開口部６７が備えられている。通気用開口部６７は、ファイバ溝６５の底に位置し、側壁３５、４１を貫通している。
【００２９】
また、筒部３３は、後方よりに切欠き部６９、７１を有する。切欠き部６９、７１は、第１ホルダピース２９の上壁３７、下壁３９および第２ホルダピース３１の上壁４５、下壁４７を切り欠くことで形成されている。切欠き部６９、７１は筒方向に同位置に位置する。そして、切欠き部６９、７１に、シールド金具１１、１３が組み付けられている。
【００３０】
図２は、切欠き部６９、７１における筒型カメラ１の断面を示している。シールド金具１１、１３は、折曲げ形成された細長い金属板（鋼板）で構成されており、金属板は弾性を有しており、これによりシールド金具１１、１３は後述のようにアース接触を確保する板ばねとして機能する。
【００３１】
シールド金具１１、１３は、両端に折曲げ部７３、７５を有する。折曲げ部７３、７５では、図示のように、シールド金具１１、１３が、筒型筐体３の内面に沿うように、対向する金具から反対向きに折り曲げられている。基板ホルダ９の側壁３５、４１は、シールド金具１１、１３の折曲げ部７３、７５に対応する位置に、収容部７７、７９を有する。収容部７７、７９は、側壁３５、３７の凹所であり、また、切欠き部でもあり、上下壁の切欠き部６９、７１につながっている。折曲げ部７３、７５は収容部７７、７９に収容される。
【００３２】
シールド金具１１、１３は、さらに、基板５、７に対応する位置に、溝部８１、８３を有する。溝部８１、８３には、基板５、７の凸部１７、１９のグランド領域２７、２９が嵌り込む。側壁３５、４１は、凹所である収容部６３を有し、溝部８１、８３は収容部６３に収容される。収容部６３は、溝部８１、８３とともに、それらに嵌り込んだ基板５、７を収容しており、シールド金具の組付けと、アース接続と、基板保持と、基板の位置決めに寄与している。収容部６３は貫通穴である。
【００３３】
図３は、シールド金具１１を単独で示している。シールド金具１３も同様の形状を有する。図３には、組付け時の筒型筐体３および基板５、７が仮想線で示されている。図示のように、折曲げ部７３、７５は、シールド金具１１が基板ホルダ９に組み付けられた状態で筒型筐体３の内空間よりはみ出す形状を有する。したがって、折曲げ部７３、７５は、実際に基板ホルダ９とともに筒型筐体３に組み付けられると、筒型筐体３の内面に押圧され、変形し、これによりアースの接触が確保される。折曲げ部７３、７５は、アース金具の筐体接触部に相当している。
【００３４】
また、シールド金具１１の溝部８１、８３、接触対象である基板５、７のグランド領域２７、２９の厚さより小さい溝幅を有している。したがって、溝部８１、８３にグランド領域２７、２９が嵌り込むと、溝部８１、８３が押し広げられ、これによりアースの接触が確保される。溝部８１、８３は、アース金具の基板接触部に相当している。
【００３５】
図４を参照すると、図４（ａ）は、図１の筒型カメラ１を線Ａ−Ａで切断した断面図であり、図４（ｂ）は、線Ｂ−Ｂで切断した断面図である。両図は、シールド金具１１、１３の組付部である切欠き部６９、７１の両側の断面図に相当する。図４（ａ）がシールド金具１１、１３の前側であり、図４（ｂ）がシールド金具１１、１３の後側である。
【００３６】
図４（ａ）を参照すると、基板５、７の上側の合せ部４７は、合せ面の両側に、相手面の段部に受け入れられる凸部を有する。すなわち、第１ホルダピース２９の上壁３７の端部合せ面８５は、外側半部に凸部８７を有し、内側半部に段部８９を有する。そして、第２ホルダピース３１の上壁４３の端部合せ面９１は、内側半部に凸部９３を有し、外側半部に段部９５を有する。そして、端部合せ面８５の凸部８７が端部合せ面９１の段部９５に受け入れられ、段部８９が凸部９３を受け入れる。図４（ａ）に示すように、基板５、７の下側の合せ部４９も同様の構成を有する。
【００３７】
図４（ｂ）においても、シールド金具１１、１３の後側の合せ構造は、図４（ａ）に示した前側の合せ構造と基本的には同様である。ただし、図示のように、図４（ｂ）を図４（ａ）と比較すると、段部と凸部の位置関係が逆転している。すなわち、第１ホルダピース２９の上壁３７の端部合せ面８５は、内側半部に凸部９７を有し、外側半部に段部９９を有する。そして、第２ホルダピース３１の上壁４３の端部合せ面９１は、外側半部に凸部１０１を有し、内側半部に段部１０３を有する。そして、端部合せ面８５の凸部９７が端部合せ面９１の段部１０３に受け入れられ、段部９９が凸部１０１を受け入れている。
【００３８】
図４に示したように、基板ホルダ９は、互い違いの合せ構造を有する。これにより、基板ホルダ９は、外側にも内側にも変形しにくくなり、高い強度が得られている。
【００３９】
以上、実施の形態の筒型カメラ１の構成を説明した。次に、筒型カメラ１の組立順序を説明する。
【００４０】
基板５、７は、両側のコネクタ１５が向き合うように配置され、互いに押しつけられて、組み合わされる。一方で、第１ホルダピース２９にシールド金具１１が組み付けられ、第２ホルダピース３１にシールド金具１３が組み付けられる。シールド金具１１の溝部８１、８３が第１ホルダピース２９の収容部６３に挿入され、両端の折曲げ部７３、７５が収容部７７、７９に収容される。シールド金具１３についても同様である。
【００４１】
次に、基板５、７を挟んで、第１ホルダピース２９と第２ホルダピース３１が組み合わされ、基板ホルダ９が組み立てられる。第１ホルダピース２９のアーム部５１、５３が第２ホルダピース３１の係合穴６１に差し込まれ、係合爪５９が係合穴６１に係合する。同様に、第２ホルダピース３１のアーム部５５、５７が第１ホルダピース２９の係合穴６１に差し込まれ、係合爪５９が係合穴６１に係合する。
【００４２】
基板ホルダ９を組み立てるとき、基板５、７の凸部２１、２３が第１ホルダピース２９および第２ホルダピース３１の収容部６３に挿入される。また、基板５、７の凸部１７、１９は、グランド領域２５、２７と共に、シールド金具１１、１３の溝部８１、８３に挿入される。溝部８１、８３が収容部６３に挿入されているので、凸部１７、１９も収容部６３に収容される。
【００４３】
こうして、基板５、７は基板ホルダ９に位置決めされる。同時に、シールド金具１１、１３の溝部８１、８３が、基板ホルダ９のグランド領域２７、２９に接触する。前述したように、溝部８１、８３が押し広げられるので、シールド金具１１、１３は確実にグランド領域２７、２９に接触する。
【００４４】
次に、基板ホルダ９は、基板５、７およびシールド金具１１、１３を保持した状態で、筒型筐体３に挿入される。基板ホルダ９の筒部３３が筒型筐体３に嵌合される。このとき、シールド金具１１、１３の折曲げ部７３、７５が、筒部筐体３の内面に押圧されて、変形し、これによりシールド金具１１、１３が確実に筒部筐体３に接触する。
【００４５】
以上、筒型カメラ１の組立順序を説明した。次に、筒型カメラ１の分解順序を説明する。
【００４６】
まず、基板ホルダ９が、筒型筐体３から取り出され、そして、第１ホルダピース２９のアーム部５１、５３がつままれる。アーム部５１、５３は、基板５、７に向かって撓み、先端の係合爪５９の係合が解除される。同じく、第２ホルダピース３１のアーム部５５、５７がつままれ、アーム部５５、５７が基板５、７に向かって撓み、係合爪５９の係合が解除される。この状態で、第１ホルダピース２９と第２ホルダピース３１が離され、そして、基板５、７の組立体も、第１ホルダピース２９および第２ホルダピース３１から外れる。基板５、７を反対向きに引っ張ると、コネクタ１５が外れ、基板５、７が離れる。
【００４７】
例えば、筒型カメラ１の動作が異常であり、異常の原因が基板５、７のどちらかにあるとする。組立状態では、基板５、７のどちらに異常の原因があるかが分からない場合がある。この場合に、本実施の形態では、上記のようにして筒型カメラ１を分解し、さらに基板５、７を分解することで、基板５、７のどちらが不良であるかを調べられる。この点は、従来の筒型カメラの２重基板構造において基板同士が半田付けされているのと比較すると大幅に有利である。例えば、工場出荷前に不良が発見されたときに、適切な対処が出来る。出荷後のサービス時にも部品交換等の適切な対処ができる。
【００４８】
しかも、基板５、７を分割可能にしているにも拘わらず、本実施の形態は、上述のシールド金具を使ったアース構造を採用し、基板５、７を筒型筐体３と連結しているので、強いアースを確保できる。
【００４９】
次に、上述の実施の形態の変形例を説明する。本実施の形態では、シールド金具１１、１３は、基板ホルダ９に組み付けられていたが、シールド金具１１、１３は、基板ホルダ９と一体成形されてもよい。シールド金具１１が第１ホルダピース２９に鋳込まれ、シールド金具１３が第２ホルダピース３１に鋳込まれる。これにより、シールド金具１１、１３を第１ホルダピース２９、第２ホルダピース３１に組み付ける作業が不要になる。また、シールド金具１１、１３の落下の可能性もさらに低減する。
【００５０】
また、上述の実施の形態では、各基板に２つずつグランド領域が設けられ、２つのシールド金具が備えられていた。本発明の範囲内で、各基板のグランド領域が１つであり、シールド金具が一つでもよい。また、グランド領域がさらに増やされ、シールド金具も３つ以上でもよく、アースを強化できる。例えば、基板の４つの凸部のすべてにグランド領域が設けられ、シールド金具が装着されてもよい。
【００５１】
以上に説明したように、本発明の実施の形態によれば、アース金具が、筒型筐体に重ねて収容される複数の基板と接触する基板接触部および筒型筐体と接触する筐体接触部を有しており、このような構成により、アース金具が複数の基板と筒型筐体を直接に接続することができ、アースを強くできる。上記のように、複数の基板を分解可能に構成した場合でも、アースを弱くせずにすむ。
【００５２】
また、本実施の形態の筒型カメラでは、基板ホルダが、筒型筐体の内面に嵌合する形状を有するとともに、複数の基板を保持する構造を有し、さらに、基板ホルダにアース金具が備えられており、このような構成により、基板ホルダを使って複数枚の基板を確実に保持できると共に、半田付け作業を行わないでもアース金具を装着でき、そして、アースを機械的にも強化できる。
【００５３】
また、本実施の形態の筒型カメラでは、アース金具が、筐体接触部に相当する両端の折曲げ部とそれらの間に設けられた基板接触部に相当する複数の溝部により、基板ホルダに組み付けられると共に、筐体および複数の基板との接触を確保でき、したがって、アース金具を小型で簡単な構成にできる。
【００５４】
また、本実施の形態の筒型カメラは、基板ホルダの合せ部の凸部と段部の位置関係がアース金具の両側で逆であり、したがって、合せ構造がアース金具の両側で互い違いであるので、合体状態の基板ホルダの強度を向上できる。
【００５５】
また、本実施の形態の筒型カメラは、基板ホルダの筒部に通気用開口部を備えているので、基板の温度を下げることができ、熱的に有利である。
【００５６】
また、本実施の形態の筒型カメラでは、アース金具を基板ホルダと一体成形してもよく、これにより組立作業が容易になる。
【００５７】
また、本実施の形態の筒型カメラは、複数枚の基板上の離れた位置に複数のアース金具を備えており、この構成により、アースがさらに強化される。
【００５８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５９】
以上のように、本発明にかかる筒型カメラは、アースを強化できるという効果を有し、例えば、歯科用カメラとして有用である。
【図面の簡単な説明】
【００６０】
【図１】本発明の第１の実施の形態における筒型カメラの分解組立図
【図２】本発明の第１の実施の形態における筒型カメラの、シールド金具の位置における断面図
【図３】本発明の第１の実施の形態における筒型カメラのシールド金具を示す図
【図４】（ａ）  本発明の第１の実施の形態における筒型カメラの、シールド金具の前側における断面図  （ｂ）  本発明の第１の実施の形態における筒型カメラの、シールド金具の後側における断面図
【図５】従来の筒型カメラの一例を示す断面図
【図６】従来の筒型カメラの一例における基板を示す図
【符号の説明】
【００６１】
１  筒型カメラ
３  筒型筐体
５，７  基板
９  基板ホルダ
１１，１３  シールド金具
１５  コネクタ
２５、２７  グランド領域
２９  第１ホルダピース
３１  第２ホルダピース
３３  筒部
４７，４９  合せ部
６３  収容部
７３，７５  折曲げ部
７７，７９  収容部
８１，８３  溝部
【図１】
2005176995.tif 000003
【図２】
2005176995.tif 000004
【図３】
2005176995.tif 000005
【図４】
2005176995.tif 000006
【図５】
2005176995.tif 000007
【図６】
2005176995.tif 000008